(57)【要約】【課題】画像形成の生産性を低下させず、異常用紙を含む出力物を正常出力物と識別可能に出力する。【解決手段】用紙に画像を形成する画像形成部150と、用紙に形成された画像を読み取る読み取り部290と、複数枚の用紙からなる束を単位とする処理を含む後処理を画像が形成された用紙に施す後処理部330と、後処理部で処理された用紙を排出する排出部390と、読み取り部の読み取り結果を参照して異常の有無を判断すると共に画像形成部の画像形成と後処理部の後処理とを制御する制御部101と、を備え、出力用に設定された束を単位とする後処理が用紙に施されて得られる状態を第１状態、第１状態と異なる用紙の状態を第２状態とした場合に、制御部101は、読み取り部の読み取り結果により異常と判断されない正常用紙の束が第１状態になり、読み取り部の読み取り結果により異常と判断された異常用紙を含む束が第２状態になるように、後処理部330を制御する。【選択図】図１
2019014128.tif 000002
【特許請求の範囲】
【請求項１】
用紙に画像を形成する画像形成部と、
前記用紙に形成された画像を読み取る読み取り部と、
複数枚の用紙からなる束を単位とする処理を含む後処理を画像が形成された前記用紙に施す後処理部と、
前記後処理部で処理された用紙を排出する排出部と、
前記読み取り部の読み取り結果を参照して異常の有無を判断すると共に前記画像形成部の画像形成と前記後処理部の後処理とを制御する制御部と、
を備える画像形成システムであって、
出力用に設定された束を単位とする後処理が前記用紙に施されて得られる状態を第１状態、前記第１状態と異なる前記用紙の状態を第２状態とした場合に、
前記制御部は、前記読み取り部の読み取り結果により異常と判断されない正常用紙の束が前記第１状態になり、前記読み取り部の読み取り結果により異常と判断された異常用紙を含む束が前記第２状態になるように、前記後処理部の後処理を制御する、
ことを特徴とする画像形成システム。
【請求項２】
前記制御部は、前記第２状態を実現する際に、前記異常用紙以降であって当該異常用紙が含まれる束の最終の用紙に至るまでに、前記第１状態を実現する後処理とは異なる後処理を付加して実行するように、前記後処理部の後処理を制御する、
ことを特徴とする請求項１に記載の画像形成システム。
【請求項３】
前記制御部は、前記第２状態として予め設定された状態となるように前記後処理部の後処理を制御する、
ことを特徴とする請求項１乃至請求項２のいずれか一項に記載の画像形成システム。
【請求項４】
それぞれについて優先度が定められた複数の状態が前記第２状態の候補である第２状態候補として予め設定されており、
前記制御部は、前記第２状態が前記第１状態と異なる状態になるように、前記第２状態候補の中から優先順位に従って第２状態を選択して前記後処理部の後処理を制御する、
ことを特徴とする請求項１乃至請求項３のいずれか一項に記載の画像形成システム。
【請求項５】
複数の状態が第２状態候補として予め設定されており
前記制御部は、前記第２状態候補の中で前記第１状態と最も異なる状態となるように、前記第２状態候補の中から第２状態を選択し、前記後処理部の後処理を制御する、
ことを特徴とする請求項１乃至請求項４のいずれか一項に記載の画像形成システム。
【請求項６】
情報を報知する報知部を備え、
前記制御部は、前記後処理部で前記異常用紙に適用した後処理による第２状態についての情報を前記報知部によって報知する、
ことを特徴とする請求項１乃至請求項５のいずれか一項に記載の画像形成システム。
【請求項７】
前記制御部は、予め定められた前記第２状態として前記第１状態と異なる状態が存在しない場合には、後処理を実行しないことで前記第２状態を実現するよう前記後処理部を制御する、
ことを特徴とする請求項１乃至請求項６のいずれか一項に記載の画像形成システム。
【請求項８】
前記制御部は、予め定められた前記第２状態として前記第１状態と異なる状態が存在しない場合には、前記異常用紙に対しては、前記第１状態を実現する場合と同じ後処理の一部の処理のみを実行するよう前記後処理部を制御する、
ことを特徴とする請求項１乃至請求項６のいずれか一項に記載の画像形成システム。
【請求項９】
前記制御部は、前記異常用紙の端部に前記第２状態が現れるように前記後処理部の後処理を制御する、
ことを特徴とする請求項１乃至請求項８のいずれか一項に記載の画像形成システム。
【請求項１０】
前記制御部は、束全体に対する後処理で前記第２状態を実現できないが、用紙１枚単位の後処理により前記第２状態を実現できる場合に、用紙１枚単位の後処理により前記第２状態を実現するように、前記後処理部の後処理を制御する、
ことを特徴とする請求項１乃至請求項９のいずれか一項に記載の画像形成システム。
【請求項１１】
前記制御部は、正常用紙の束と異常用紙を含む束とを同じ排出部に排出するよう制御する、
ことを特徴とする請求項１乃至請求項１０のいずれか一項に記載の画像形成システム。
【請求項１２】
用紙に画像を形成する画像形成部と、前記用紙に形成された画像を読み取る読み取り部と、複数枚の用紙からなる束を単位とする処理を含む後処理を画像が形成された前記用紙に施す後処理部と、前記読み取り部の読み取り結果を参照して異常の有無を判断すると共に前記画像形成部の画像形成と前記後処理部の後処理とを制御する制御部と、
を備える画像形成システムを制御する画像形成制御プログラムであって、
出力用に設定された束を単位とする後処理が前記用紙に施されて得られる状態を第１状態、前記第１状態と異なる前記用紙の状態を第２状態とした場合に、前記読み取り部の読み取り結果により異常と判断されない正常用紙を前記第１状態にするよう前記後処理部が後処理を実行し、前記読み取り部の読み取り結果により異常と判断された異常用紙を前記第２状態にするよう前記後処理部が後処理を実行するよう前記画像形成システムのコンピュータを機能させる、
ことを特徴とする画像形成制御プログラム。
【発明の詳細な説明】
【技術分野】
【０００１】
本発明は、プリンタや軽印刷装置等の用紙に画像形成して後処理を施して出力する画像形成システム及びこの画像形成システムを制御する画像形成制御プログラムに関する。
【背景技術】
【０００２】
電子写真方式の画像形成システムを用いたデジタル印刷システムがプロダクションプリントの分野で用いられている。この種の画像形成システムでは、画像形成部の下流側に読み取り部を配置しておき、画像形成後に用紙を読み取って得た画像から印刷物の印刷異常検知（以下、ヤレ検知）を行うことが行われている。なお、この読み取り部としては、インラインセンサやＣＣＤカメラ等の各種の撮像デバイスを用いることができる。また、異常を検出した用紙に対して異常を警告し、除去する用紙を表示する技術も存在している。
【０００３】
ところで、出力物が冊子状の印刷物の場合、画像異常を検出した際に出力を停止し、異常が検出された用紙を除去して印刷の継続を行うといった手法によると、生産性が大幅に低下してしまう問題がある。
一方、生産性の低下を防ぐために印刷を継続し、終了後に異常画像の含まれた冊子を目視にて除去する手法も存在する。この手法の場合、異常画像が混入した冊子を検査し取り除く手間がかかる問題点があり、更に、見落としにより異常画像の含まれた冊子が成果物として流通してしまう恐れも存在している。
【０００４】
また、機密プリントの場合には、異常画像を取り除くために文書の内容を確認することが好ましくない場合もある。
なお、これらの技術については、以下の特許文献にも各種の提案がなされている。
【先行技術文献】
【特許文献】
【０００５】
【特許文献１】特開2013-216076号公報
【発明の概要】
【発明が解決しようとする課題】
【０００６】
以上の特許文献１では、印刷物の生産性を維持しながら、正常印刷物と欠陥印刷物の排紙先を正確に分別することを特徴としている。すなわち、欠陥印刷物の排出先を、正常印刷物とは別になるように切り替えている。
しかし、後処理された冊子の排出先が１つのみであって空きがない場合、あるいは、複数の排出先が既に予約で埋まっている場合など、特許文献１記載の分別の手法を用いることができない問題がある。
【０００７】
本発明はこのような課題を鑑みてなされたものであり、画像形成の生産性を低下させることなく、異常と判断された用紙を含む出力物を正常な出力物と容易に識別可能な状態で出力する画像形成システム及び画像形成制御プログラムを実現することを目的とする。
【課題を解決するための手段】
【０００８】
すなわち、前記した課題を解決すべく、本発明の一側面が反映された画像形成システムと画像形成制御プログラムとは、以下に説明するものである。
（１）本発明の一側面が反映された画像形成システムは、用紙に画像を形成する画像形成部と、前記用紙に形成された画像を読み取る読み取り部と、複数枚の用紙からなる束を単位とする処理を含む後処理を画像が形成された前記用紙に施す後処理部と、前記後処理部で処理された用紙を排出する排出部と、前記読み取り部の読み取り結果を参照して異常の有無を判断すると共に前記画像形成部の画像形成と前記後処理部の後処理とを制御する制御部と、を備える画像形成システムであって、出力用に設定された束を単位とする後処理が前記用紙に施されて得られる状態を第１状態、前記第１状態と異なる前記用紙の状態を第２状態とした場合に、前記制御部は、前記読み取り部の読み取り結果により異常と判断されない正常用紙の束が前記第１状態になり、前記読み取り部の読み取り結果により異常と判断された異常用紙を含む束が前記第２状態になるように、前記後処理部の後処理を制御する、ことを特徴とする。
【０００９】
また、本発明の一側面が反映された画像形成制御プログラムは、用紙に画像を形成する画像形成部と、前記用紙に形成された画像を読み取る読み取り部と、複数枚の用紙からなる束を単位とする処理を含む後処理を画像が形成された前記用紙に施す後処理部と、前記後処理部で処理された用紙を排出する排出部と、前記読み取り部の読み取り結果を参照して異常の有無を判断すると共に前記画像形成部の画像形成と前記後処理部の後処理とを制御する制御部と、を備える画像形成システムを制御する画像形成制御プログラムであって、出力用に設定された束を単位とする後処理が前記用紙に施されて得られる状態を第１状態、前記第１状態と異なる前記用紙の状態を第２状態とした場合に、前記読み取り部の読み取り結果により異常と判断されない正常用紙を前記第１状態にするよう前記後処理部が後処理を実行し、前記読み取り部の読み取り結果により異常と判断された異常用紙を前記第２状態にするよう前記後処理部が後処理を実行するよう前記画像形成システムのコンピュータを機能させる、ことを特徴とする。
【００１０】
（２）以上の（１）において、前記制御部は、前記第２状態を実現する際に、前記異常用紙以降であって当該異常用紙が含まれる束の最終の用紙に至るまでに、前記第１状態を実現する後処理とは異なる後処理を付加して実行するように、前記後処理部の後処理を制御する、ことを特徴とする。
【００１１】
（３）以上の（１）〜（２）において、前記制御部は、前記第２状態として予め設定された状態となるように前記後処理部の後処理を制御する、ことを特徴とする。
（４）以上の（１）〜（３）において、それぞれについて優先度が定められた複数の状態が前記第２状態の候補である第２状態候補として予め設定されており、前記制御部は、前記第２状態が前記第１状態と異なる状態になるように、前記第２状態候補の中から優先順位に従って第２状態を選択して前記後処理部の後処理を制御する、ことを特徴とする。
【００１２】
（５）以上の（１）〜（４）において、複数の状態が第２状態候補として予め設定されており前記制御部は、前記第２状態候補の中で前記第１状態と最も異なる状態となるように、前記第２状態候補の中から第２状態を選択し、前記後処理部の後処理を制御する、ことを特徴とする。
【００１３】
（６）以上の（１）〜（５）において、情報を報知する報知部を備え、前記制御部は、前記後処理部で前記異常用紙に適用した後処理による第２状態についての情報を前記報知部によって報知する、ことを特徴とする。
（７）以上の（１）〜（６）において、前記制御部は、予め定められた前記第２状態として前記第１状態と異なる状態が存在しない場合には、後処理を実行しないことで前記第２状態を実現するよう前記後処理部を制御する、ことを特徴とする。
【００１４】
（８）以上の（１）〜（６）において、前記制御部は、予め定められた前記第２状態として前記第１状態と異なる状態が存在しない場合には、前記異常用紙に対しては、前記第１状態を実現する場合と同じ後処理の一部の処理のみを実行するよう前記後処理部を制御する、ことを特徴とする。
【００１５】
（９）以上の（１）〜（８）において、前記制御部は、前記異常用紙の端部に前記第２状態が現れるように前記後処理部の後処理を制御する、ことを特徴とする。
（１０）以上の（１）〜（９）において、前記制御部は、束全体に対する後処理で前記第２状態を実現できないが、用紙１枚単位の後処理により前記第２状態を実現できる場合に、用紙１枚単位の後処理により前記第２状態を実現するように、前記後処理部の後処理を制御する、ことを特徴とする。
【００１６】
（１１）以上の（１）〜（１０）において、前記後処理部で処理された用紙を排出する排出部を備えて構成され、前記制御部は、正常用紙の束と異常用紙を含む束とを同じ排出部に排出するよう制御する、ことを特徴とする。
【発明の効果】
【００１７】
本発明の一側面が反映された画像形成システム及び画像形成制御プログラムでは、以下のような効果を奏することができる。
（１）本発明の一側面が反映された画像形成システムと画像形成制御プログラムでは、出力用に設定された束を単位とする後処理が用紙に施されて得られる状態を第１状態、第１状態と異なる用紙の状態を第２状態とした場合に、読み取り結果により異常と判断されない正常用紙の束が第１状態になり、読み取り結果により異常と判断された異常用紙を含む束が第２状態になるように後処理を制御することにより、正常用紙の出力物と異常用紙を含む出力物とが異なった出力形態になっているため、画像形成の生産性を低下させることなく、異常用紙を含む出力物を正常な出力物と容易に識別可能な状態で出力することができる。
【００１８】
すなわち、ステイプル、小冊子、糊付け製本などの束として出力の指定された印刷物に対して、異常用紙を含む出力物の混入を防止し、また異常な出力物の検出時の手間も大幅に軽減することができる。
また、第１状態と第２状態との違いを触覚により行うことができるため、熟練者でなくても作業が可能になり、また、機密プリントの内容が外部に漏れることもない。同様に、内部の内容を確認せずに、外観で識別が可能になるため、機密プリントの内容が外部に漏れることもない。
【００１９】
（２）以上の（１）において、第２状態を実現する際に、異常用紙以降であって当該異常用紙が含まれる束の最終の用紙に至るまでに、第１状態を実現する後処理とは異なる後処理を付加して実行するように後処理を制御することにより、異常用紙を含む出力物では後処理状態が部の最終用紙に至るまで第２状態で保たれるため、異常用紙を含む束の出力物を容易に識別可能な状態で出力することができる。
【００２０】
（３）以上の（１）〜（２）において、第２状態として予め設定された状態となるように後処理を制御することにより、異常用紙を含む出力物の後処理後の状態が予め設定された状態になるため、異常用紙を含む束の出力物を容易に識別可能な状態で出力することができる。
【００２１】
（４）以上の（１）〜（３）において、それぞれについて優先度が定められた複数の状態が第２状態の候補である第２状態候補として予め設定されており、第２状態が第１状態と異なる状態になるように、第２状態候補の中から優先順位に従って第２状態を選択して後処理を制御することにより、正常用紙の出力物と異常用紙を含む出力物とが優先順位に沿って異なった出力形態になっているため、異常用紙を含む束の出力物を容易に識別可能な状態で出力することができる。
【００２２】
（５）以上の（１）〜（４）において、複数の状態が第２状態候補として予め設定されており第２状態候補の中で第１状態と最も異なる状態となるように、第２状態候補の中から第２状態を選択し、後処理を制御することにより、異常用紙を含む出力物の状態が候補の中で最も第１状態と異なる状態になるため、異常用紙を含む束の出力物を容易に識別可能な状態で出力することができる。
【００２３】
（６）以上の（１）〜（５）において、後処理部で異常用紙に適用した後処理による第２状態についての情報を報知することにより、異常用紙を含む出力物の状態が認識可能な状態になり、異常用紙を含む束の出力物を容易に識別可能な状態で出力することができる。
【００２４】
（７）以上の（１）〜（６）において、予め定められた第２状態として第１状態と異なる状態が存在しない場合には、後処理を実行しないことで第２状態を実現するよう制御することにより、正常用紙の出力物では後処理が実行され、異常用紙を含む出力物では後処理が実行されないため、異常用紙を含む束の出力物を容易に識別可能な状態で出力することができる。
【００２５】
（８）以上の（１）〜（６）において、予め定められた第２状態として第１状態と異なる状態が存在しない場合には、異常用紙に対しては、第１状態を実現する場合と同じ後処理の一部の処理のみを実行するよう後処理を制御することにより、正常用紙の出力物では後処理が完了し、異常用紙を含む出力物では後処理が完了しないため、異常用紙を含む束の出力物を容易に識別可能な状態で出力することができる。
【００２６】
（９）以上の（１）〜（８）において、異常用紙の端部に第２状態が現れるように後処理を制御することにより、異常用紙を含む束の出力物を容易に識別可能な状態で出力することができる。
（１０）以上の（１）〜（９）において、束全体に対する後処理で第２状態を実現できないが、用紙１枚単位の後処理により第２状態を実現できる場合に、用紙１枚単位の後処理により第２状態を実現することで、異常用紙を含む束の出力物を容易に識別可能な状態で出力することができる。
【００２７】
（１１）以上の（１）〜（１０）において、正常用紙の束と異常用紙を含む束とを同じ排出部に排出する場合でも、第１状態と第２状態とが明確に異なった出力形態になっているため、同じ排出部上に排紙された場合であっても異常用紙を含む束の出力物を容易に識別可能な状態で出力することができる。
【図面の簡単な説明】
【００２８】
【図１】本発明の実施形態の構成を示す構成図である。
【図２】本発明の実施形態の構成を示す構成図である。
【図３】本発明の実施形態の構成を示す構成図である。
【図４】本発明の実施形態の構成を示す構成図である。
【図５】本発明の第１実施形態の動作を示すフローチャートである。
【図６】本発明の第２実施形態の動作を示すフローチャートである。
【図７】本発明の第３実施形態の動作を示すフローチャートである。
【図８】本発明の実施形態の装置における表示画面例を示す説明図である。
【図９】本発明の実施形態の装置における表示画面例を示す説明図である。
【図１０】本発明の第４実施形態の動作を示すフローチャートである。
【図１１】本発明の実施形態の装置における表示画面例を示す説明図である。
【図１２】本発明の実施形態の装置における表示画面例を示す説明図である。
【図１３】本発明の第５実施形態の動作を示すフローチャートである。
【図１４】本発明の第６実施形態の動作を示すフローチャートである。
【図１５】本発明の第７実施形態の動作を示すフローチャートである。
【図１６】本発明の第８実施形態における処理の一例を示す説明図である。
【図１７】本発明の第９実施形態の動作を示すフローチャートである。
【発明を実施するための形態】
【００２９】
以下、図面を参照して、画像形成の際に異常と判断された用紙を含む出力物を正常な出力物と容易に識別可能な状態で出力可能な画像形成装置の実施形態を詳細に説明する。
〔構成（１）〕
画像形成システム１の第１構成例を、図１と図２に基づいて詳細に説明する。なお、図１は画像形成システム１に含まれる各装置の各部の機能を示す機能ブロック図、図２は画像形成システム１に含まれる各装置の各部の機械的構成要素を示す説明図である。
【００３０】
画像形成システム１は、画像形成装置１００と、中間装置２００と、後処理装置３００とが、用紙の搬送方向に沿って接続された状態で配置されている。
ここで、画像形成装置１００は、画像形成装置１００内の各部を制御する制御部１０１と、接続されている他の装置と通信するための通信部１０２と、利用者による操作入力と画像形成装置１００の状態表示とを行う操作表示部１０３と、各種設定を記憶する記憶部１０４と、給紙トレイに収容された用紙を給紙可能な給紙部１０５と、装置内で用紙を搬送する搬送部１０７と、原稿をプラテン上で読み取る原稿読取部１１０と、画像形成する際の画像データや各種データを記憶する画像データ記憶部１３０と、画像形成に必要な各種画像処理を実行する画像処理部１４０と、画像形成命令と画像データとに基づいて用紙上に画像を形成する画像形成部１５０と、用紙上に形成されたトナーによる画像を熱と圧力とで安定させる定着部１６０と、を備えて構成されている。
【００３１】
なお、画像形成部１５０は、図２に示されるように、帯電された像担持体に形成される静電潜像が現像されてトナー像となり、中間転写体上で各色のトナー像が重ね合わされてから用紙に転写される、いわゆる電子写真方式の画像形成部である。但し、画像形成部１５０の具体的構成は、図２に示すものに限られない。
【００３２】
中間装置２００は、中間装置２００内の各部を制御する制御部２０１と、他の装置と通信する通信部２０２と、搬送中の用紙の画像を読み取る出力物読取部２９０と、を備えて構成されている。
後処理装置３００は、後処理装置３００内の各部を制御する制御部３０１と、他の装置と通信する通信部３０２と、用紙に各種後処理を施す後処理部３３０と、用紙を排出する排紙部３９０と、を備えて構成されている。
【００３３】
ここで、後処理部３３０の処理内容については特に限定しないが、断裁やステープルやパンチや折り等の各種後処理を、用紙１枚単位、又は、複数枚の用紙からなる束（冊子）を単位として実行可能とする。
また、排紙部３９０は、一例として、排紙トレイ３９０ａ，３９０ｂ，３９０ｃを備えて構成される。なお、図１〜図２に示した画像形成システム１の構成は一例であり、更に多くの中間装置や後処理装置が連結されていても良い。
【００３４】
〔構成（２）〕
画像形成システム１の第２構成例を、図３と図４に基づいて詳細に説明する。なお、図３は画像形成システム１に含まれる各装置の各部の機能を示す機能ブロック図、図４は画像形成システム１に含まれる各装置の各部の機械的構成要素を示す説明図である。なお、この画像形成システム１の第２構成例において、図１と図２に示した第１構成例と同一物には同一番号を付すことで重複した説明を省略する。
【００３５】
画像形成システム１には、用紙上に画像形成された画像を読み取る出力物読取部１９０が画像形成装置１００内に設けられている。そのため、画像形成システム１において中間装置２００は接続されていない。なお、中間装置２００を設け、反転部などを配置することが可能である。なお、出力物読取部１９０は、用紙上に画像形成された画像を読み取るもので、画像形成部１５０と定着部１６０の下流側に配置されており、用紙搬送中に画像を読み取る構成となっている。なお、図３〜図４に示した画像形成システム１の構成は一例であり、更に多くの中間装置や後処理装置が連結されていても良い。
【００３６】
〔動作（１）〕
以下、図５のフローチャートを参照し、基本となる第１実施形態の動作説明を行う。なお、ここでは、図１と図２の画像形成システム１における動作を具体例にする。
画像形成装置１００では、画像形成に関する各種の初期設定が実行される（図５中のステップＳ１１）。
【００３７】
この初期設定の一部として、制御部１０１は、画像形成で異常が検出された場合に実行される別後処理候補の選択を操作表示部１０３を介してユーザから受け付けても良い。なお、別後処理候補は、予め定められていても良い。
ここで、画像形成において指定されている後処理（「指定後処理」）が用紙に施されて得られる状態（出力形態）を「第１状態」とした場合に、第１状態と異なる用紙の出力形態（以下、「第２状態」）を実現するための後処理を「別後処理」とする。
【００３８】
例えば、指定後処理が左上ステイプルの場合に別後処理が２箇所ステイプル、指定後処理が中綴じの場合に別後処理が重ね中折り、指定後処理が重ね中折りの場合に別後処理が中綴じ、指定後処理がパンチの場合に別後処理が穴位置が半分用紙外になるパンチ、などである。また、第２状態を実現するために、別後処理として、後処理不実行、後処理不完全実行などが含まれても良い。なお、後処理を実行しない「後処理不実行」も、この実施形態では、「別後処理」の一種として扱うことにする。
【００３９】
そして、制御部１０１は、操作表示部１０３や外部接続機器から指示された画像形成を実行するよう、給紙部１０５、搬送部１０７、画像データ記憶部１３０、画像処理部１４０、画像形成部１５０、定着部１６０を制御する（図５中のステップＳ１２）。すなわち、画像形成開始の指示を受けた制御部１０１は、給紙部１０５から用紙を画像形成部１５０に向けて給紙させ、画像データ記憶部１３０から読み出した画像データに対して画像処理部１４０において画像処理を実行し、画像形成部１５０において用紙に画像を形成し、用紙上の画像を定着部１６０で熱と圧力とによって安定させるよう、各部を制御する。
【００４０】
そして、制御部１０１は、このように画像形成された用紙を、画像形成装置１００から中間装置２００に向けて搬送するよう制御する。
制御部１０１は、出力物読取部２９０で用紙上の画像を読み取るよう、制御部２０１を介して出力物読取部２９０を制御する（図５中のステップＳ１３）。出力物読取部２９０で得られた画像データ（読み取り画像データ）は、通信部２０２と通信部２０１を介して、制御部１０１に送られる。そして、制御部１０１は、既知の手法により、読み取り画像データに異常が存在しているか否かを判断する（図５中のステップＳ１４）。この異常判断としては、例えば、画像データ記憶部１３０に保持されている画像形成用のプリント画像データと読み取り画像データとの比較などにより、制御部１０１により実行される。
【００４１】
ここで、画像形成の開始ページから最終ページに至るまでの複数枚のいずれの用紙においても異常が検出されなければ（図５中のステップＳ１５でＮＯ）、当該複数枚の用紙からなる束に対して、画像形成に指定されている本来の後処理（指定後処理）を実行するよう、制御部１０１から指示を受けた制御部３０１は後処理部３３０を制御する（図５中のステップＳ１７）。
【００４２】
一方、画像形成の開始ページから最終ページに至るまでの複数枚の用紙のいずれかにおいて異常が検出されれば（図５中のステップＳ１５でＹＥＳ）、当該複数枚の用紙からなる束に対しての後処理の指定であるかを制御部１０１が判断する（図５中のステップＳ１６）。
【００４３】
ここで、実行している画像形成における後処理が当該複数枚の用紙からなる束に対しての指定であれば（図５中のステップＳ１６でＹＥＳ）、複数枚の用紙からなる束に対して指定後処理の代わりに別後処理を実行するよう、制御部１０１から指示を受けた制御部３０１は後処理部３３０を制御する（図５中のステップＳ１８）。
【００４４】
そして、制御部１０１から指示を受けた制御部３０１は、後処理部３３０で指定後処理が施された束単位の複数枚の用紙（図５中のステップＳ１７）、後処理部３３０で別後処理が施された束単位の複数枚の用紙（図５中のステップＳ１８）、あるいは、束単位での後処理の指定がない場合の（図５中のステップＳ１６でＮＯ）後処理が中止された複数枚の用紙を、排紙部３９０のいずれかの排紙トレイに排出するよう制御する（図５中のステップＳ２０）。
【００４５】
〔動作（１）により得られる効果〕
以上のように、読み取り結果によって正常と判断された複数枚の用紙からなる束を指定後処理により出力形態を第１状態にし、読み取り結果によって異常と判断された用紙を含む複数枚の用紙からなる束を別後処理により出力形態を第２状態にするように後処理を制御することにより、正常用紙の出力物と異常用紙を含む出力物とが異なった出力形態になっているため、画像形成の生産性を低下させることなく、異常用紙を含む出力物を正常な出力物と容易に識別可能な状態で出力することができる。すなわち、ステイプル、小冊子、糊付け製本などの部や束として出力の指定された印刷物に対して、異常用紙を含む出力物の混入を防止し、また異常な出力物の検出時の手間も大幅に軽減することができる。また、第１状態と第２状態との違いを触覚により行うことができるため、熟練者でなくても作業が可能になる。また、内容を確認せずに、外観で識別が可能になるため、機密プリントの内容が外部に漏れることもない。なお、以上のようにして、正常か異常かに応じて後処理による用紙束の出力形態を変えるようにしているため、同じ排出トレイ上に排紙された場合であっても異常用紙を含む束の出力物を容易に識別可能な状態で出力することができる。
【００４６】
〔動作（２）〕
以下、図６のフローチャートを参照し、第２実施形態の動作説明を行う。なお、ここでは、図１と図２の画像形成システム１における動作を具体例にする。なお、この第２実施形態を説明する図６において、第１構成例で説明した図５と同一処理には同一ステップ番号を付すことで重複した説明を省略する。
【００４７】
画像形成装置１００では、制御部１０１の制御に基づいて、初期設定（図６中のステップＳ１１）、画像形成（図６中のステップＳ１２）、読み取り（図６中のステップＳ１３）、異常有無判断（図６中のステップＳ１４）、を実行する。
ここで、複数枚のいずれの用紙においても異常が検出されなければ（図６中のステップＳ１５でＮＯ）、当該複数枚の用紙からなる束に対して指定後処理を実行するよう、制御部１０１から指示を受けた制御部３０１は後処理部３３０を制御する（図６中のステップＳ１７）。
【００４８】
一方、画像形成の開始ページから最終ページに至るまでの複数枚の用紙のいずれかにおいて異常が検出された場合（図６中のステップＳ１５でＹＥＳ）であって、当該複数枚の用紙からなる束に対しての後処理の指定であれば（図６中のステップＳ１６でＹＥＳ）、異常が検出された用紙以降の用紙（異常が検出された用紙と、同じ束に属する最終ページまでの用紙）に対して用紙１枚毎に実行可能な別後処理を付加し（図６中のステップＳ１９）、更に当該複数枚の用紙からなる束に対して指定後処理を実行するよう、制御部１０１から指示を受けた制御部３０１は後処理部３３０を制御する（図６中のステップＳ１７）。
【００４９】
この場合、例えば、異常検出以降の用紙に対してはパンチ穴等の別後処理を付加し、更に、束単位の指定後処理としてはくるみ製本処理等を実行する。
そして、制御部１０１から指示を受けた制御部３０１は、指定後処理が施された正常な束単位の複数枚の用紙（図６中のステップＳ１５でＮＯ、ステップＳ１７）、異常検出以降に用紙１枚単位で別後処理が施され更に束単位で指定後処理が施された複数枚の用紙（図６中のステップＳ１５でＹＥＳ、ステップＳ１６でＹＥＳ、ステップＳ１９、ステップＳ１７）、あるいは、束単位での後処理の指定がない場合の（図６中のステップＳ１６でＮＯ）後処理が中止された複数枚の用紙を、排紙部３９０のいずれかの排紙トレイに排出するよう制御する（図６中のステップＳ２０）。
【００５０】
〔動作（２）により得られる効果〕
以上のように、読み取り結果によって正常と判断された複数枚の用紙からなる束を指定後処理により出力形態を第１状態にし、読み取り結果によって異常と判断された用紙を含む複数枚の用紙からなる束については異常用紙以降に別後処理を付加した上で指定後処理を施すことにより出力形態を第２状態にするように後処理を制御することにより、異常用紙を含む出力物では後処理状態が部の最終用紙に至るまで第２状態で保たれるため、異常用紙を含む束の出力物を容易に識別可能な状態で出力することができる。すなわち、指定された印刷物に対して、異常用紙を含む出力物の混入を防止し、また異常な出力物の検出時の手間も大幅に軽減することができる。また、第１状態と第２状態との違いを触覚により行うことができるため、熟練者でなくても作業が可能になる。また、内容を確認せずに、外観で識別が可能になるため、機密プリントの内容が外部に漏れることもない。なお、以上のようにして、正常か異常かに応じて後処理による用紙束の出力形態を変えるようにしているため、同じ排出トレイ上に排紙された場合であっても異常用紙を含む束の出力物を容易に識別可能な状態で出力することができる。
【００５１】
〔動作（３）〕
以下、図７のフローチャートを参照し、第３実施形態の動作説明を行う。なお、ここでは、図１と図２の画像形成システム１における動作を具体例にする。なお、この第３実施形態を説明する図７において、第１構成例で説明した図５と同一処理には同一ステップ番号を付すことで重複した説明を省略する。
【００５２】
画像形成装置１００では、制御部１０１により画像形成に関する各種の初期設定が実行される。この初期設定の一部として、制御部１０１は、画像形成で異常が検出された場合に実行される別後処理候補の選択を操作表示部１０３を介してユーザから受け付ける（図７中のステップＳ１１’）。なお、この第３実施形態において、別後処理候補とは、用紙の出力形態としての第２状態の候補（第２状態候補）である。
【００５３】
この際に、制御部１０１は、別後処理の受け付けとして、図８の別後処理候補選択画面１０３Ｇ１Ａ、または、図９の別後処理候補選択画面１０３Ｇ１Ｂを操作表示部１０３に表示して、ユーザから別後処理の選択を受け付ける。
ここで、図８の別後処理候補選択画面１０３Ｇ１Ａでは、ｘ１でＺ折り（外三つ折り）が、ｘ２で２穴パンチ左が、異常検出時の別後処理候補として選択された様子を示している。この場合、指定後処理（図７中のステップＳ１７）と重ならない範囲で、選択された別後処理が実行される（図７中のステップＳ１８）。
【００５４】
また、図９の別後処理候補選択画面１０３Ｇ１Ｂでは、ｘ１のＺ折りとｘ２で２穴パンチ左とが異常検出時の別後処理候補として選択され、ｘ１’のＺ折りが優先度１位、ｘ２’の２穴パンチ左が優先度２位として優先度設定を伴った別後処理候補として選択されている。この場合、指定後処理（図７中のステップＳ１７）と重複しない範囲で、予め選択された別後処理（図８参照）、または、予め選択された中で優先順位の高い別後処理（図９参照）から順に、別後処理が選択されて実行される（図７中のステップＳ１８’）。
【００５５】
なお、この場合、ユーザの環境やユーザの適正に応じて、識別しやすい別後処理（別後処理により得られる用紙の出力形態（第２状態））を高い優先度に設定しておくことも望ましい。
〔動作（３）により得られる効果〕
以上の場合に、上述した動作（１）や（２）の効果に加えて、別後処理を予め複数選択しておくことで、異常用紙を含む出力物の後処理後の状態が予め設定された状態になるため、異常用紙を含む束の出力物を更に容易に識別可能な状態で出力することができる。
【００５６】
また、以上の場合において、それぞれについて優先度が定められた別後処理が選択されている場合、優先順位に従って第２状態を選択して別後処理を制御することになり、正常用紙の出力物と異常用紙を含む出力物とが優先順位に沿って異なった出力形態になっているため、異常用紙を含む束の出力物が更に容易に識別可能になる。
【００５７】
〔動作（４）〕
以下、図１０のフローチャートを参照し、第４実施形態の動作説明を行う。なお、ここでは、図１と図２の画像形成システム１における動作を具体例にする。なお、この第４実施形態を説明する図１０において、第１構成例で説明した図５と同一処理には同一ステップ番号を付すことで重複した説明を省略する。
【００５８】
画像形成装置１００では、制御部１０１の制御に基づいて、初期設定（図１０中のステップＳ１１）、画像形成（図１０中のステップＳ１２）、読み取り（図１０中のステップＳ１３）、異常有無判断（図１０中のステップＳ１４，Ｓ１５）、束単位処有無判断（図１０中のステップＳ１６）、正常な複数枚の用紙の指定後処理（図１０中のステップＳ１７）、異常用紙を含む複数枚の用紙の別後処理（図１０中のステップＳ１８）、の後に、複数枚の用紙を排紙部３９０のいずれかの排紙トレイに排出すると共に、異常検出時には異常検出と別後処理による出力形態との報知を行うよう制御する（図１０中のステップＳ２０’）。
【００５９】
すなわち、制御部１０１は、異常が検出された場合には、異常が検出されたことと、別後処理実行によって形成される用紙出力形態を、操作表示部１０３を介してユーザに報知する（図１０中のステップＳ２０’）。
図１１に示す例では、操作表示部１０３の基本表示画面１０３Ｇ１Ｃにおいて、メッセージ表示欄に「異常画像を検出し、ステイプル２か所に変更して出力しました」とのメッセージｍ１により、異常の検出と、別後処理による出力形態とをユーザに報知している。
【００６０】
図１２に示す例では、操作表示部１０３のジョブ一覧表示画面１０３Ｇ１Ｄにおいて、メッセージ表示欄に「異常検出：別後処理＝ステイプル２箇所→用紙の束を除いて下さい」とのメッセージｍ２により、異常の検出と、別後処理による出力形態とを、ジョブリスト中の該当するジョブと対応付けてユーザに報知している。
【００６１】
なお、図１１や図１２に示した以外の各種の表示や報知の形式、エラーコードを用いる表示や報知であっても良い。また、例えば、異常検出と出力形態とを音声で読み上げる形式の報知でも良い。あるいは、ランプの色や点滅回数により、異常検出と出力形態とを報知しても良い。更には、ブザーの音色や鳴動回数により、異常検出と出力形態とを報知しても良い。また、これらの各種の報知を組み合わせるようにしても良い。
【００６２】
〔動作（４）により得られる効果〕
以上の場合に、上述した動作（１）や（２）の効果に加えて、異常用紙を含む複数枚の用紙からなる束に適用した別後処理による第２状態についての情報（出力形態）をユーザに対して報知することにより、異常用紙を含む出力物の状態が容易に認識可能な状態になる。
【００６３】
〔動作（５）〕
以下、図１３のフローチャートを参照し、第５実施形態の動作説明を行う。なお、ここでは、図１と図２の画像形成システム１における動作を具体例にする。なお、この第５実施形態を説明する図１３において、第１構成例で説明した図５と同一処理には同一ステップ番号を付すことで重複した説明を省略する。
【００６４】
画像形成装置１００では、制御部１０１の制御に基づいて、初期設定（図１３中のステップＳ１１）、画像形成（図１３中のステップＳ１２）、読み取り（図１３中のステップＳ１３）、異常有無判断（図１３中のステップＳ１４，Ｓ１５）、束単位処有無判断（図１３中のステップＳ１６）、を行うよう制御部１０１が制御する。
【００６５】
ここで、複数枚のいずれの用紙においても異常が検出されなければ（図１３中のステップＳ１５でＮＯ）、当該複数枚の用紙からなる束に対して、後処理部３３０が指定後処理を実行する（図１３中のステップＳ１７）。
また、複数枚の用紙のいずれかにおいて異常が検出された場合（図１３中のステップＳ１５でＹＥＳ）であって、当該複数枚の用紙からなる束に対しての後処理の指定であれば（図１３中のステップＳ１６でＹＥＳ）、制御部１０１と制御部３０１とは、後処理部３３０が指定後処理以外に実行可能な別後処理が存在するか後処理設定を確認する（図１３中のステップＳ１８ａ、ステップＳ１８ｂ）。
【００６６】
ここで、後処理部３３０が指定後処理以外に実行可能な別後処理が存在すれば（図１３中のステップＳ１８ｂでＹＥＳ）、複数枚の用紙からなる束に対して別後処理を実行するよう、制御部１０１から指示を受けた制御部３０１は後処理部３３０を制御する（図１３中のステップＳ１８ｃ）。
【００６７】
一方、後処理部３３０が指定後処理以外に実行可能な別後処理が存在しなければ（図１３中のステップＳ１８ｂでＮＯ）、複数枚の用紙からなる束に対して後処理を実行しないよう、制御部１０１から指示を受けた制御部３０１は後処理部３３０を制御する（図１３中のステップＳ１８ｄ）。
【００６８】
なお、実行可能な別後処理が存在しないとは、指定後処理や用紙の搬送経路の関係で、異常が検出された時点で束として実行可能な別後処理が存在しない場合を意味する。また、別後処理として実行可能な後処理であっても、出力形態として指定後処理との区別が困難な場合には、実行可能な別後処理が存在しないとして扱っても良い。
【００６９】
この場合、指定後処理（図１３中のステップＳ１７）が施された用紙の束の出力形態が第１状態であり、実行可能な別定後処理（図１３中のステップＳ１８ｃ）が施された用紙の束の出力形態が第２状態であり、更に、実行可能な別定後処理が存在しない場合に後処理を実行しない（図１３中のステップＳ１８ｄ）用紙の束も第２状態である。
【００７０】
そして、制御部１０１から指示を受けた制御部３０１は、指定後処理が施された正常な束単位の複数枚の用紙（図１３中のステップＳ１５でＮＯ、ステップＳ１７）、異常が検出されて束単位で別後処理が施された複数枚の用紙（図１３中のステップＳ１５でＹＥＳ、ステップＳ１６でＹＥＳ、ステップＳ１８ｂでＹＥＳ、ステップＳ１８ｃ）、異常が検出されて後処理が施されない複数枚の用紙（図１３中のステップＳ１５でＹＥＳ、ステップＳ１６でＹＥＳ、ステップＳ１８ｂでＹＥＳ、ステップＳ１８ｄ）、あるいは、束単位での後処理の指定がなく（図１３中のステップＳ１６でＮＯ）後処理が実行されない複数枚の用紙を、排紙部３９０のいずれかの排紙トレイに排出するよう制御する（図１３中のステップＳ２０）。
【００７１】
〔動作（５）により得られる効果〕
以上の場合に、上述した動作（１）〜（４）の効果に加えて、実行可能な別後処理が存在しない場合には、後処理を実行しないことで第２状態を実現するよう制御することにより、異常用紙を含む束の出力物を容易に識別可能な状態で出力することができる。
【００７２】
〔動作（６）〕
以下、図１４のフローチャートを参照し、第６実施形態の動作説明を行う。なお、ここでは、図１と図２の画像形成システム１における動作を具体例にする。なお、この第６実施形態を説明する図１４において、第１構成例で説明した図５や第５構成例で説明した図１３と同一処理には同一ステップ番号を付すことで重複した説明を省略する。
【００７３】
画像形成装置１００では、制御部１０１の制御に基づいて、初期設定（図１４中のステップＳ１１）、画像形成（図１４中のステップＳ１２）、読み取り（図１４中のステップＳ１３）、異常有無判断（図１４中のステップＳ１４，Ｓ１５）、束単位処有無判断（図１４中のステップＳ１６）、を行うよう制御部１０１が制御する。
【００７４】
ここで、複数枚のいずれの用紙においても異常が検出されなければ（図１４中のステップＳ１５でＮＯ）、当該複数枚の用紙からなる束に対して、後処理部３３０が指定後処理を実行する（図１４中のステップＳ１７）。
また、複数枚の用紙のいずれかにおいて異常が検出された場合（図１４中のステップＳ１５でＹＥＳ）であって、当該複数枚の用紙からなる束に対しての後処理の指定であれば（図１４中のステップＳ１６でＹＥＳ）、制御部１０１と制御部３０１とは、指定後処理以外に実行可能であって指定後処理と最も出力形態が異なる別後処理が存在するか後処理設定を確認する（図１４中のステップＳ１８ａ、ステップＳ１８ｂ１、ステップＳ１８ｂ２）。
【００７５】
ここで、指定後処理以外に実行可能であって指定後処理と最も出力形態が異なる別後処理が選択されれば（図１４中のステップＳ１８ｂ１でＹＥＳ、ステップＳ１８ｂ２でＹＥＳ）、複数枚の用紙からなる束に対して選択された別後処理を実行するよう、制御部１０１から指示を受けた制御部３０１は後処理部３３０を制御する（図１４中のステップＳ１８ｃ）。
【００７６】
一方、後処理部３３０が指定後処理以外に実行可能な別後処理が存在しない場合（図１４中のステップＳ１８ｂ１でＮＯ）や、指定後処理と最も出力形態が異なる別後処理が存在しない場合（図１４中のステップＳ１８ｂ２でＮＯ、ステップＳ１８ｂ１でＮＯ）、複数枚の用紙からなる束に対して後処理を実行しないよう、制御部１０１から指示を受けた制御部３０１は後処理部３３０を制御する（図１４中のステップＳ１８ｄ）。
【００７７】
ここで、指定後処理以外に実行可能であって指定後処理と最も出力形態が異なる別後処理としては、指定後処理が中折りや中綴じの場合において、Ｚ折りやＺ折りかつステイプルなどが該当する。
また、ここで、指定後処理と最も出力形態が異なる別後処理が存在しない場合とは、別後処理として実行可能な後処理であっても、出力形態として指定後処理との区別が明確ではない場合を意味する。具体的には、ステイプル２箇所仕上げとステイプル３箇所仕上げ等の場合が該当する。
【００７８】
そして、制御部１０１から指示を受けた制御部３０１は、以上のようにして指定後処理や別後処理が施された複数枚の用紙や後処理が施されない複数枚の用紙を、排紙部３９０のいずれかの排紙トレイに排出するよう制御する（図１４中のステップＳ２０）。
〔動作（６）により得られる効果〕
以上の場合に、上述した動作（１）〜（５）の効果に加えて、指定後処理による出力形態とは最も異なる出力形態が得られる別後処理を選択して実行することにより、異常用紙を含む出力物の出力形態が正常用紙の出力物の出力形態とは最も異なる状態になるため、異常用紙を含む束の出力物を容易に識別可能な状態で出力することができる。
【００７９】
〔動作（７）〕
以下、図１５のフローチャートを参照し、第７実施形態の動作説明を行う。なお、ここでは、図１と図２の画像形成システム１における動作を具体例にする。なお、この第７実施形態を説明する図１５において、第１構成例で説明した図５や第６構成例で説明した図１４と同一処理には同一ステップ番号を付すことで重複した説明を省略する。
【００８０】
画像形成装置１００では、制御部１０１の制御に基づいて、初期設定（図１５中のステップＳ１１）、画像形成（図１５中のステップＳ１２）、読み取り（図１５中のステップＳ１３）、異常有無判断（図１５中のステップＳ１４，Ｓ１５）、束単位処有無判断（図１５中のステップＳ１６）、を行うよう制御部１０１が制御する。
【００８１】
ここで、複数枚のいずれの用紙においても異常が検出されなければ（図１５中のステップＳ１５でＮＯ）、当該複数枚の用紙からなる束に対して、後処理部３３０が指定後処理を実行する（図１５中のステップＳ１７）。
また、複数枚の用紙のいずれかにおいて異常が検出された場合（図１５中のステップＳ１５でＹＥＳ）であって、当該複数枚の用紙からなる束に対しての後処理の指定であれば（図１５中のステップＳ１６でＹＥＳ）、制御部１０１と制御部３０１とは、指定後処理以外に実行可能であって指定後処理と出力形態が異なる別後処理が存在するか後処理設定を確認する（図１５中のステップＳ１８ａ、ステップＳ１８ｂ１、ステップＳ１８ｂ２）。
【００８２】
ここで、指定後処理以外に実行可能であって指定後処理と出力形態が異なる別後処理が選択されれば（図１５中のステップＳ１８ｂ１でＹＥＳ、ステップＳ１８ｂ２でＹＥＳ）、複数枚の用紙からなる束に対して選択された別後処理を実行するよう、制御部１０１から指示を受けた制御部３０１は後処理部３３０を制御する（図１５中のステップＳ１８ｃ）。
【００８３】
一方、後処理部３３０が指定後処理以外に実行可能な別後処理が存在しない場合（図１５中のステップＳ１８ｂ１でＮＯ）や、指定後処理と出力形態が異なる別後処理が存在しない場合（図１５中のステップＳ１８ｂ２でＮＯ、ステップＳ１８ｂ１でＮＯ）、複数枚の用紙からなる束に対して、指定後処理を一部のみ不完全状態で実行するよう、制御部１０１から指示を受けた制御部３０１は後処理部３３０を制御する（図１５中のステップＳ１８ｅ）。
【００８４】
なお、実行可能な別後処理が存在しないとは、指定後処理や用紙の搬送経路の関係で、異常が検出された時点で束として実行可能な別後処理が存在しない場合を意味する。また、別後処理として実行可能な後処理であっても、出力形態として指定後処理との区別が困難な場合には、実行可能な別後処理が存在しないとして扱っても良い。
【００８５】
この場合、指定後処理（図１５中のステップＳ１７）が施された用紙の束の出力形態が第１状態であり、実行可能な別定後処理（図１５中のステップＳ１８ｃ）が施された用紙の束の出力形態が第２状態であり、更に、実行可能な別定後処理が存在しない場合に指定後処理を不完全状態で実行（図１５中のステップＳ１８ｅ）した用紙の束も第２状態である。
【００８６】
なお、指定後処理を不完全状態で実行するとは、指定後処理がくるみ製本の場合に、不完全実行後処理ではくるみ製本で糊付けせずに排出することや、指定後処理が中綴じの場合に、不完全実行後処理では中折りせずに排出することや、指定後処理がステイプルの場合に、不完全実行後処理ではステイプル針折り曲げ・カットをせずに排出すること、などが該当する。なお、指定後処理が折りの場合に、不完全実行後処理では折り状態を極端に弱くするといったことも可能である。
【００８７】
そして、制御部１０１から指示を受けた制御部３０１は、指定後処理が施された正常な束単位の複数枚の用紙（図１５中のステップＳ１５でＮＯ、ステップＳ１７）、異常が検出されて束単位で別後処理が施された複数枚の用紙（図１５中のステップＳ１５でＹＥＳ、ステップＳ１６でＹＥＳ、ステップＳ１８ｂでＹＥＳ、ステップＳ１８ｃ）、異常が検出されて指定後処理が不完全状態で施された複数枚の用紙（図１５中のステップＳ１５でＹＥＳ、ステップＳ１６でＹＥＳ、ステップＳ１８ｂでＹＥＳ、ステップＳ１８ｅ）、あるいは、束単位での後処理の指定がなく（図１５中のステップＳ１６でＮＯ）後処理が実行されない複数枚の用紙を、排紙部３９０のいずれかの排紙トレイに排出するよう制御する（図１５中のステップＳ２０）。
【００８８】
〔動作（７）により得られる効果〕
以上の場合に、上述した動作（１）〜（６）の効果に加えて、実行可能な別後処理が存在しない場合に、指定後処理を一部のみの不完全状態で実行することで第２状態を実現するよう制御することにより、正常用紙の出力物では後処理が完了し、異常用紙を含む出力物では後処理が完了しないため、異常用紙を含む束の出力物を容易に識別可能な状態で出力することができる。
【００８９】
〔動作（８）〕
以下、図１６を参照して第８実施形態を説明する。ここで、以上の別後処理として、指定後処理における処理位置を移動させることによって実現することが可能である。
図１６（ａ）は指定後処理が２穴パンチ（Ｈ１，Ｈ２）の様子を示している。このような場合に、図１６（ｂ）に示すように、別後処理として、２穴パンチ（Ｈ１’，Ｈ２’）の位置を用紙端部にかかるようにする移動することが可能である。この場合、パンチの穴が端部に露出することになり、視覚または触覚で用紙端部から別後処理が施されたことが明らかになる。この場合、用紙の搬送を考慮すると、用紙の搬送方向の後端にパンチの穴を移動することが望ましい。
【００９０】
また、図１６（ｃ）のように、複数枚の用紙の一部でパンチの穴（Ｈ１”，Ｈ２”）の位置を移動した状態を別後処理とすることも可能である。また、図１６（ｂ）と図１６（ｃ）のいずれの場合でも、２穴パンチ以外に、３穴パンチ、４穴パンチ、２６穴パンチ、３０穴パンチなど、各種の多穴パンチにも適用することが可能である。
【００９１】
また、ステイプル等のパンチ以外が指定後処理であるとき、図１６（ｂ）や図１６（ｃ）の端部露出のパンチを別後処理として実行することも可能である。なお、処理位置の移動については、ここに示したパンチ穴の端部露出以外にも各種の後処理に適用することが可能である。
【００９２】
〔動作（８）により得られる効果〕
以上の場合、上述した動作（１）〜（７）の効果に加えて、異常用紙の端部に第２状態が現れるように別後処理を制御することにより、異常用紙を含む束の出力物を容易に識別可能な状態で出力することができる。
【００９３】
〔動作（９）〕
以下、図１７のフローチャートを参照し、第９実施形態の動作説明を行う。なお、ここでは、図１と図２の画像形成システム１における動作を具体例にする。なお、この第９実施形態を説明する図１７において、第１構成例〜第７実施形態で説明したフローチャートと同一処理には同一ステップ番号を付すことで重複した説明を省略する。
【００９４】
画像形成装置１００では、制御部１０１の制御に基づいて、初期設定（図１７中のステップＳ１１）、画像形成（図１７中のステップＳ１２）、読み取り（図１７中のステップＳ１３）、異常有無判断（図１７中のステップＳ１４，Ｓ１５）、束単位処有無判断（図１７中のステップＳ１６）、を行うよう制御部１０１が制御する。
【００９５】
ここで、複数枚のいずれの用紙においても異常が検出されなければ（図１７中のステップＳ１５でＮＯ）、当該複数枚の用紙からなる束に対して、後処理部３３０が指定後処理を実行する（図１７中のステップＳ１７）。
また、複数枚の用紙のいずれかにおいて異常が検出された場合（図１７中のステップＳ１５でＹＥＳ）であって、当該複数枚の用紙からなる束に対しての後処理の指定であれば（図１７中のステップＳ１６でＹＥＳ）、制御部１０１と制御部３０１とは、後処理部３３０が指定後処理以外に実行可能な別後処理が存在するか後処理設定を確認する（図１７中のステップＳ１８ａ、ステップＳ１８ｂ）。
【００９６】
ここで、後処理部３３０が指定後処理以外に、束単位で実行可能な別後処理が存在すれば（図１７中のステップＳ１８ｂでＹＥＳ（束単位））、複数枚の用紙からなる束に対して別後処理を実行するよう、制御部１０１から指示を受けた制御部３０１は後処理部３３０を制御する（図１７中のステップＳ１８ｃ）。
【００９７】
また、後処理部３３０が指定後処理以外の別後処理として、検出された異常が最終ページに近いため等のため束単位で別後処理への変更はできないが、用紙１枚単位で実行可能な別後処理が存在すれば（図１７中のステップＳ１８ｂでＹＥＳ（用紙１枚単位））、異常が検出された用紙のみまたは異常が検出された以降の用紙に対して用紙１枚単位の別後処理を実行するよう、制御部１０１から指示を受けた制御部３０１は後処理部３３０を制御する（図１７中のステップＳ１８ｆ）。なお、可能であれば、異常が検出されて用紙１枚単位で別後処理が施された用紙を含む複数枚の用紙からなる束に対して指定後処理を実行するよう、制御部１０１から指示を受けた制御部３０１は後処理部３３０を制御する（図６中のステップＳ１８ｇ）。
【００９８】
一方、後処理部３３０が指定後処理以外に実行可能な別後処理が存在しなければ（図１７中のステップＳ１８ｂでＮＯ）、複数枚の用紙からなる束に対して後処理を実行しないよう、制御部１０１から指示を受けた制御部３０１は後処理部３３０を制御する（図１７中のステップＳ１８ｄ）。
【００９９】
この場合、指定後処理（図１７中のステップＳ１７）が施された用紙の束の出力形態が第１状態であり、束単位で別定後処理（図１７中のステップＳ１８ｃ）が施された用紙の束の出力形態が第２状態であり、実行可能な別定後処理が存在しない場合に後処理を実行しない（図１７中のステップＳ１８ｄ）用紙の束も第２状態であり、更に、用紙１枚単位で別定後処理（図１７中のステップＳ１８ｆ）が施された用紙の束の出力形態が第２状態である。
【０１００】
そして、制御部１０１から指示を受けた制御部３０１は、指定後処理が施された正常な束単位の複数枚の用紙（図１７中のステップＳ１７）、異常が検出されて束単位で別後処理が施された複数枚の用紙（図１７中のステップＳ１８ｃ）、異常が検出されて後処理が施されない複数枚の用紙（ステップＳ１８ｄ）、異常が検出されて用紙１枚単位で別後処理が施された複数枚の用紙（図１７中のステップＳ１８ｆ、ステップＳ１８ｇ）、あるいは、束単位での後処理の指定がなく（図１７中のステップＳ１６でＮＯ）後処理が実行されない複数枚の用紙を、排紙部３９０のいずれかの排紙トレイに排出するよう制御する（図１７中のステップＳ２０）。
【０１０１】
なお、以上の用紙１枚単位で実行する別定後処理（図１７中のステップＳ１８ｆ）としては、指定後処理とは異なる処理であるが、例えば、Ｚ折り等の単一折り処理など指定後処理とは異なる処理が望ましい。このため、最終ページ付近で異常が検出された場合には、単一折り処理が施された用紙を含む冊子が作製されるため、異常が検出された用紙を含む束の検出性が高くなり、正常な用紙の束との識別が極めて容易になる。
【０１０２】
また、この第９実施形態において、用紙１枚単位で実行する別後処理としては、異常が検出された用紙に対するものに限定されない。すなわち、異常が検出された用紙を含む複数枚の用紙の束のいずれかの用紙に別後処理を施すことで、異常が検出された用紙を含む束の検出性が高くなり、正常な用紙の束との識別が極めて容易になる。
【０１０３】
〔動作（９）により得られる効果〕
以上の場合に、上述した動作（１）〜（８）の効果に加えて、異常用紙が束内の最終用紙間際に出現した場合など、異常の検出タイミングの影響で束単位の別後処理への変更ができない場合には、用紙１枚単位の別後処理を施すことで第２状態を実現するよう制御することにより、異常用紙を含む束の出力物を容易に識別可能な状態で出力することができる。
【０１０４】
〔その他の動作〕
以上の動作（１）〜（９）において、正常な場合の用紙の第１状態とは異なる第２状態を実現する別後処理については異常が検出された束内で実行するものであり、次の束の処理は通常通りに実行するよう制御部１０１が各部を制御する。
【符号の説明】
【０１０５】
１００  画像形成装置
１０１  制御部
１０２  通信部
１０３  操作表示部
１１０  原稿読取部
１３０  画像データ記憶部
１４０  画像生成部
１５０  画像形成部
１６０  定着部
１９０  出力物読取部
２００  中間装置
２９０  出力物読取部
３００  後処理装置
３３０  後処理部
【図１】
2019014128.tif 000003
【図２】
2019014128.tif 000004
【図３】
2019014128.tif 000005
【図４】
2019014128.tif 000006
【図５】
2019014128.tif 000007
【図６】
2019014128.tif 000008
【図７】
2019014128.tif 000009
【図８】
2019014128.tif 000010
【図９】
2019014128.tif 000011
【図１０】
2019014128.tif 000012
【図１１】
2019014128.tif 000013
【図１２】
2019014128.tif 000014
【図１３】
2019014128.tif 000015
【図１４】
2019014128.tif 000016
【図１５】
2019014128.tif 000017
【図１６】
2019014128.tif 000018
【図１７】
2019014128.tif 000019